(57)【要約】【課題】  小型化が可能な発光装置を提供する。【解決手段】  第一の熱吸収部材５１は、複数の第一の壁部５１ａにて形成された第一の通風路５１ｂを有し、第一の発光素子２１が発した熱を吸収する。第二の熱吸収部材５２は、第一の壁部５１ａと交差する方向に設けられた複数の第二の壁部５２ａにて形成された第二の通風路５２ｂを有し、第一の熱吸収部材５１に隣設され、第二の発光素子２２が発した熱を吸収する。第三の熱吸収部材５３は、第一の壁部５１ａと交差する方向に設けられた複数の第三の壁部５３ａにて形成された第三の通風路５３ｂを有し、第一の熱吸収部材５１に隣設され、第三の発光素子２３が発した熱を吸収する。カバー部材６２，６３は、第一の壁部５１ａ，第二の壁部５２ａ及び第三の壁部５３ａに設けられる。送風部材４１は、第一の通風路５１ｂ，第二の通風路５２ｂ及び第三の通風路５３ｂに冷却風Ｃを流す。【選択図】図  １
2007096161.tif 000002
【特許請求の範囲】
【請求項１】
第一の発光素子と、
複数の第一の壁部にて形成された第一の通風路を有し、前記第一の発光素子が発した熱を吸収する第一の熱吸収部材と、
第二の発光素子と、
前記第一の壁部と交差する方向に設けられた複数の第二の壁部にて形成された第二の通風路を有し、前記第二の発光素子が発した熱を吸収する第二の熱吸収部材と、
前記第一の壁部及び前記第二の壁部に設けられたカバー部材と、
前記第一の通風路及び前記第二の通風路に冷却風を流す送風部材と、
を有することを特徴とする発光装置。
【請求項２】
前記第一の発光素子は、第一の色を有する第一の光を発し、前記第二の発光素子は、第二の色を有する第二の光を発することを特徴とする請求項１に記載の発光装置。
【請求項３】
前記第一の発光素子が発した前記第一の光を透過させると共に、前記第二の発光素子が発した前記第二の光を反射させる透過反射部材を設けたことを特徴とする請求項２に記載の発光装置。
【請求項４】
第一の発光素子と、
複数の第一の壁部にて形成された第一の通風路を有し、前記第一の発光素子が発した熱を吸収する第一の熱吸収部材と、
第二の発光素子と、
前記第一の壁部と交差する方向に設けられた複数の第二の壁部にて形成された第二の通風路を有し、前記第一の熱吸収部材に隣設され、前記第二の発光素子が発した熱を吸収する第二の熱吸収部材と、
前記第二の発光素子に対向して設けられた第三の発光素子と、
前記第一の壁部と交差する方向に設けられた複数の第三の壁部にて形成された第三の通風路を有し、前記第一の熱吸収部材に隣設され、前記第三の発光素子が発した熱を吸収する第三の熱吸収部材と、
前記第一の壁部，前記第二の壁部及び前記第三の壁部に設けられたカバー部材と、
前記第一の通風路，前記第二の通風路及び前記第三の通風路に冷却風を流す送風部材と、
を有することを特徴とする発光装置。
【請求項５】
前記第一の発光素子は、第一の色を有する第一の光を発し、前記第二の発光素子は、第二の色を有する第二の光を発し、前記第三の発光素子は、第三の色を有する第三の光を発することを特徴とする請求項４に記載の発光装置。
【請求項６】
前記第一の発光素子が発した前記第一の光を透過させ、前記第二の発光素子が発した前記第二の光を反射させると共に、前記第三の発光素子が発した前記第三の光を反射させる透過反射部材を設けたことを特徴とする請求項５に記載の発光装置。
【発明の詳細な説明】
【技術分野】
【０００１】
本発明は、発光装置に関するものであり、プロジェクタ装置，ヘッドアップディスプレイ装置の光源として用いられる発光装置に関するものである。
【背景技術】
【０００２】
従来より、プロジェクタ装置等において、液晶表示パネルを後方から照明するバックライト用光源として用いられる発光装置が種々提案されており、例えば特許文献１に開示されている。斯かる発光装置１００は、発光ダイオード２１，２２，２３が夫々発した緑色光Ｌ１，赤色光Ｌ２，青色光Ｌ３を、ダイクロイックプリズム３０及び投射レンズ４０を介して、液晶表示パネル２００に投射するものである（図４参照）。
【特許文献１】特開２００３−１８６１１０号公報
【０００３】
発光ダイオード２１，２２，２３は、夫々、回路基板２４，２５，２６に搭載されている。この回路基板２４，２５，２６には、複数の放熱フィン３１ａ，３２ａ，３３ａを有するヒートシンク３１，３２，３３が固着されている。ヒートシンク３１，３２，３３の放熱フィン３１ａ，３２ａ，３３ａには、夫々、冷却ファン４１，４２，４３が、図示しないビスによって固定されている。ヒートシンク３１，３２，３３は、冷却ファン４１，４２，４３が送出した冷却風によって冷却される。
【発明の開示】
【発明が解決しようとする課題】
【０００４】
しかしながら、発光装置１００は、各ヒートシンク３１，３２，３３に、夫々、冷却ファン４１，４２，４３を設けており、３個の冷却ファン４１，４２，４３が必要であったため、発光装置１００を安価に提供できないだけでなく、発光装置１００の幅Ｗ１が大きいという問題を有していた。
【課題を解決するための手段】
【０００５】
本発明は、前記課題を解決するため、請求項１に記載したように、第一の発光素子２１と、複数の第一の壁部５１ａにて形成された第一の通風路５１ｂを有し、前記第一の発光素子２１が発した熱を吸収する第一の熱吸収部材５１と、第二の発光素子２２と、前記第一の壁部５１ａと交差する方向に設けられた複数の第二の壁部５２ａにて形成された第二の通風路５２ｂを有し、前記第二の発光素子２２が発した熱を吸収する第二の熱吸収部材５２と、前記第一の壁部５１ａ及び前記第二の壁部５２ａに設けられたカバー部材６２と、前記第一の通風路５１ｂ及び前記第二の通風路５２ｂに冷却風Ｃを流す送風部材４１と、を有するものである。
【０００６】
また、本発明は、請求項２に記載したように、前記第一の発光素子２１は、第一の色を有する第一の光Ｌ１を発し、前記第二の発光素子２２は、第二の色を有する第二の光Ｌ２を発するものである。
【０００７】
また、本発明は、請求項３に記載したように、前記第一の発光素子２１が発した前記第一の光Ｌ１を透過させると共に、前記第二の発光素子２２が発した前記第二の光Ｌ２を反射させる透過反射部材３０を設けたものである。
【０００８】
また、本発明は、請求項４に記載したように、第一の発光素子２１と、複数の第一の壁部５１ａにて形成された第一の通風路５１ｂを有し、前記第一の発光素子２１が発した熱を吸収する第一の熱吸収部材５１と、第二の発光素子２２と、
前記第一の壁部５１ａと交差する方向に設けられた複数の第二の壁部５２ａにて形成された第二の通風路５２ｂを有し、前記第一の熱吸収部材５１に隣設され、前記第二の発光素子２２が発した熱を吸収する第二の熱吸収部材５２と、前記第二の発光素子２２に対向して設けられた第三の発光素子２３と、前記第一の壁部５１ａと交差する方向に設けられた複数の第三の壁部５３ａにて形成された第三の通風路５３ｂを有し、前記第一の熱吸収部材５１に隣設され、前記第三の発光素子２３が発した熱を吸収する第三の熱吸収部材５３と、前記第一の壁部５１ａ，前記第二の壁部５２ａ及び前記第三の壁部５３ａに設けられたカバー部材６２，６３と、前記第一の通風路５１ｂ，前記第二の通風路５２ｂ及び前記第三の通風路５３ｂに冷却風Ｃを流す送風部材４１と、を有するものである。
【０００９】
また、本発明は、請求項５に記載したように、前記第一の発光素子２１は、第一の色を有する第一の光Ｌ１を発し、前記第二の発光素子２２は、第二の色を有する第二の光Ｌ２を発し、前記第三の発光素子は２３、第三の色を有する第三の光Ｌ３を発するものである。
【００１０】
また、本発明は、請求項６に記載したように、前記第一の発光素子２１が発した前記第一の光Ｌ１を透過させ、前記第二の発光素子２２が発した前記第二の光Ｌ２を反射させると共に、前記第三の発光素子２３が発した前記第三の光Ｌ３を反射させる透過反射部材３０を設けたものである。
【発明の効果】
【００１１】
複数の熱吸収部材を、１個の送風部材にて冷却することができ、発光装置の幅を小さくすることが可能となる。
【発明を実施するための最良の形態】
【００１２】
以下、添付の図面に基づいて、本発明の一実施形態を説明する。
【００１３】
２１，２２，２３は発光ダイオード（発光素子）であり、これらの発光ダイオード２１，２２，２３は、パワーＬＥＤと称されるものであり、夫々、緑色光Ｌ１（第一の光），赤色光Ｌ２（第二の光），青色光Ｌ３（第三の光）を発する。発光ダイオード２１，２２，２３は、夫々、回路基板２４，２５，２６に搭載されている。発光ダイオード２２と発光ダイオード２３は互いに対向する位置に配置されている。回路基板２４，２５，２６はアルミニウムからなる平板状の基板に所定の配線パターンを形成してなるものである。各回路基板２４，２５，２６には、夫々、９個の発光ダイオード２１，２２，２３が搭載されている。
【００１４】
２７，２８，２９は集光レンズであり、この集光レンズ２７，２８，２９は、夫々、発光ダイオード１１，１２，１３の前側に配置されている。集光レンズ２７，２８，２９は、ポリカーボネート等の透光性樹脂からなるものであり、夫々、平面からなる入射面２７ａ，２８ａ，２９ａと、発光ダイオード２１，２２，２３に対応する９個の凸状曲面からなる出射面２７ｂ，２８ｂ，２９ｂとを有している。３０はダイクロイックプリズム（透過反射部材）であり、このダイクロイックプリズム３０は、赤色光Ｌ２を反射させる反射層３０ａと、青色光Ｌ３を反射させる反射層３０ｂとを有しており、緑色光Ｌ１を透過させ、赤色光Ｌ２を反射させると共に、青色光Ｌ３を反射させる。
【００１５】
４０は投射レンズであり、この投射レンズ４０は、ダイクロイックプリズム３０にて透過または反射された緑色光Ｌ１，赤色光Ｌ２及び青色光Ｌ３を液晶表示パネル２００に投射する。投射レンズ４０は、ポリカーボネート等の透光性樹脂からなるものであり、平面からなる入射面４０ａと、凸状曲面からなる出射面４０ｂとを有している。
【００１６】
５１，５２，５３はヒートシンク（熱吸収部材）であり、このヒートシンク５１，５２，５３は、アルミニウムからなるものであり、夫々、回路基板２４，２５，２６に固着されている。ヒートシンク５１，５２，５３は、回路基板２４，２５，２６を介して、発光ダイオード１１，１２，１３が発した熱を吸収するものである。ヒートシンク５１，５２，５３は、夫々、放熱フィン５１ａ，５２ａ，５３ａ（壁部）を有しており、この複数の放熱フィン５１ａ，５２ａ，５３ａの間が通風路５１ｂ，５２ｂ，５３ｂとなっている。
【００１７】
ヒートシンク５２及びヒートシンク５３は、ヒートシンク５１に燐設して配置されており、ヒートシンク５２とヒートシンク５３は対向している。ヒートシンク５１の壁部５１ａは、Ｘ軸方向（紙面の横方向）に形成されており、通風路５１ｂはＸ軸方向に設けられている。ヒートシンク５２，５３の壁部５２ａ，５３ａは、Ｙ軸方向（紙面の縦方向）に形成されており、通風路５２ｂ，５３ｂはＹ軸方向に設けられている。
【００１８】
６０はベース板であり、このベース板６０にヒートシンク５１，５２，５３が、図示しないビスによって固定されている。ベース板６０には、投射レンズ４０を固定するための支柱部６０ａが形成されている。４１は冷却ファン（送風部材）であり、この冷却ファン４１はヒートシンク５１の放熱フィン５１ａに固定されている。冷却ファン４１は、ヒートシンク５１に向けて冷却風Ｃを送出する。
【００１９】
６２は第一のカバー部材であり、この第一のカバー部材６２は、ヒートシンク５２の放熱フィン５２ａとヒートシンク５１の放熱フィン５１ａに、図示しないビスによって固定されている。第一のカバー部材６２は、ヒートシンク５１の放熱フィン５１ａに当接する第一のガイド部６２ａと、ヒートシンク５２の放熱フィン５２ａに当接する第二のガイド部６２ｂと、第一のガイド部６２ａと第二のガイド部６２ｂを連結する連結部６２ｃとを有する。
６３は第二のカバー部材であり、この第二のカバー部材６３は、ヒートシンク５３の放熱フィン５３ａとヒートシンク５１の放熱フィン５１ａに、図示しないビスによって固定されている。第二のカバー部材６３は、ヒートシンク５１の放熱フィン５１ａに当接する第一のガイド部６３ａと、ヒートシンク５３の放熱フィン５３ａに当接する第二のガイド部６３ｂと、第一のガイド部６２ａと第二のガイド部６３ｂを連結する連結部６３ｃとを有する。
【００２０】
冷却ファン４１から送出された冷却風Ｃは、ヒートシンク５１の通風路５１ｂを経由して、カバー部材６２，６３の連結部６２ｃ，６３ｃによって、ヒートシンク５２，５３の通風路５２ｂ，５３ｃに案内される。
【００２１】
本実施形態によれば、１個の冷却ファン４１によって３個のヒートシンク５１，５２，５３を冷却することができ、発光装置３００の幅Ｗ２を小さくすることが可能である。なお、本発明は、本実施形態に限定されるものではなく、種々の変形が可能であり、例えば、冷却ファン４１の送風向きは反対であっても良い。
【図面の簡単な説明】
【００２２】
【図１】本発明の実施形態を示す上面図。
【図２】同上実施形態を示すヒートシンクの斜視図。
【図３】同上実施形態を示す断面図。
【図４】従来例を示す上面図。
【符号の説明】
【００２３】
２１    発光ダイオード（第一の発光素子）
２２    発光ダイオード（第二の発光素子）
２３    発光ダイオード（第三の発光素子）
３０    ダイクロイックプリズム（透過反射部材）
４１    冷却ファン（送風部材）
５１    ヒートシンク（第一の熱吸収部材）
５１ａ  放熱フィン（第一の壁部）
５１ｂ  通風路（第一の通風路）
５２    ヒートシンク（第二の熱吸収部材）
５２ａ  放熱フィン（第二の壁部）
５２ｂ  通風路（第二の通風路）
５３    ヒートシンク（第三の熱吸収部材）
５３ａ  放熱フィン（第三の壁部）
５３ｂ  通風路（第三の通風路）
６２    第一のカバー部材（カバー部材）
６３    第二のカバー部材（カバー部材）
Ｃ      冷却風
Ｌ１    緑色光（第一の光）
Ｌ２    赤色光（第二の光）
Ｌ３    青色光（第三の光）
【図１】
2007096161.tif 000003
【図２】
2007096161.tif 000004
【図３】
2007096161.tif 000005
【図４】
2007096161.tif 000006